(57)【要約】【課題】正当な自転車利用者であり、かつ正当な駐輪場利用者である者のみに、駐輪場の入退場が可能になるようにすること。【解決手段】自転車登録ＩＤが表記され、個人情報の記入欄が設けられている自転車登録申請用紙であって、表記されている自転車登録ＩＤと、記入欄に記入された個人情報とは、自転車登録情報として保管されて、駐輪場で自転車の入退場の際に、前記自転車が登録自転車であって、前記自転車に伴っている人が駐輪場の利用権を購入し、前記利用権が有効期限内であることを確かめることに用いられることを特徴とする自転車登録申請用紙。【選択図】図１
2004334416.tif 000002
【特許請求の範囲】
【請求項１】
自転車登録ＩＤが表記され、個人情報の記入欄が設けられている自転車登録申請用紙であって、
表記されている自転車登録ＩＤと、記入欄に記入された個人情報とは、自転車登録情報として保管されて、駐輪場で自転車の入退場の際に、前記自転車が登録自転車であって、前記自転車について、前記自転車に伴っている人が駐輪場の利用権を購入し、前記利用権が有効期限内であることを確かめることに用いられることを特徴とする自転車登録申請用紙。
【請求項２】
非接触で読取りが可能な自転車登録ＩＤを記憶するＩＣチップを備え、前記自転車登録ＩＤが表記され、自転車に取付け可能な自転車登録証であって、
前記自転車登録ＩＤは、駐輪場で自転車の入退場の際に読み取られ、前記自転車登録ＩＤで識別される登録自転車が存在し、前記自転車について、前記自転車に伴っている人が駐輪場の利用権を購入し、前記利用権が有効期限内であることを確かめることに用いられることを特徴とする自転車登録証。
【請求項３】
前記自転車登録ＩＤは、駐輪場で自転車の退場の際に、自転車鍵の備えるＩＣチップに記憶されている自転車登録ＩＤと一致することを確かめることに用いられることを特徴とする請求項２に記載の自転車登録証。
【請求項４】
非接触で読取りが可能な自転車登録ＩＤを記憶するＩＣチップを備える自転車鍵であって、
前記自転車登録ＩＤは、駐輪場で自転車の退場の際に読み取られ、自転車登録証の備えるＩＣチップに記憶されている自転車登録ＩＤと一致することを確かめることに用いられることを特徴とする自転車鍵。
【請求項５】
非接触で読取りが可能な利用権のＩＤを記憶するＩＣチップを備える自転車鍵であって、
前記利用権のＩＤは、駐輪場で自転車の入退場の際に読取られ、前記利用権のＩＤで識別される利用権が有効期限内であることを確かめることに用いられることを特徴とする自転車鍵。
【請求項６】
前記ＩＣチップが、非接触で読取りが可能な、利用権の購入者のバイオメトリックス情報も記憶しており、
前記利用権の購入者のバイオメトリックス情報は、駐輪場で自転車の入退場の際に読取られ、前記自転車に伴っている人のバイオメトリックス情報と照合されることにより、前記人が、前記利用権の購入者であることを確かめることに用いられることを特徴とする自転車鍵。
【請求項７】
各端末と、各駐輪場のコンピュータと、ネットワークを介して接続されるサーバであって、
端末又はサーバにて、自転車登録ＩＤと個人情報とを入力させ、入力された自転車登録ＩＤと個人情報とを自転車登録情報として保管する機能と、
駐輪場のコンピュータから自転車登録ＩＤと利用権のＩＤ及び有効期間とを受信し、保管している自転車登録情報の中で、受信した自転車登録ＩＤを有するものに、受信した利用権のＩＤ及び有効期間とを追記し、追記した自転車登録情報を新たな自転車登録情報として保管する機能と、
駐輪場のコンピュータから入場可否問合せを自転車登録ＩＤと利用権のＩＤと共に受信し、保管している自転車登録情報の中で、受信した自転車登録ＩＤと利用権のＩＤとを有し、かつ利用権が有効期限内のものが存在する場合のみ入場可能を、前記場合以外は入場不可能を、駐輪場のコンピュータに返信する機能と、
駐輪場のコンピュータから退場可否問合せを自転車登録ＩＤと利用権のＩＤと共に受信し、保管している自転車登録情報の中で、受信した自転車登録ＩＤと利用権のＩＤとを有し、かつ利用権が有効期限内のものが存在する場合のみ退場可能を、前記場合以外は退場不可能を、駐輪場のコンピュータに返信する機能とを有することを特徴とする自転車登録情報保管サーバ。
【請求項８】
各端末と、各駐輪場のコンピュータと、ネットワークを介して接続されるサーバであって、
端末又はサーバにて、自転車登録ＩＤと個人情報とを入力させ、入力された自転車登録ＩＤと個人情報とを自転車登録情報として保管する機能と、
駐輪場のコンピュータから自転車登録ＩＤと利用権のＩＤと利用権の有効期間と利用権の購入者のバイオメトリックス情報とを受信し、保管している自転車登録情報の中で、受信した自転車登録ＩＤを有するものに、受信した利用権のＩＤと利用権の有効期間と利用権の購入者のバイオメトリックス情報とを追記し、追記した自転車登録情報を新たな自転車登録情報として保管する機能と、
駐輪場のコンピュータから入場可否問合せを自転車登録ＩＤと利用権のＩＤとバイオメトリックス情報と共に受信し、保管している自転車登録情報の中で、受信した自転車登録ＩＤと利用権のＩＤとを有し、利用権が有効期限内のものが存在し、かつ受信したバイオメトリックス情報と一致する利用権の購入者のバイオメトリックス情報がある場合のみ入場可能を、前記場合以外は入場不可能を、駐輪場のコンピュータに返信する機能と、
駐輪場のコンピュータから退場可否問合せを自転車登録ＩＤと利用権のＩＤとバイオメトリックス情報と共に受信し、保管している自転車登録情報の中で、受信した自転車登録ＩＤと利用権のＩＤとを有し、利用権が有効期限内のものが存在し、かつ受信したバイオメトリックス情報と一致する利用権の購入者のバイオメトリックス情報がある場合のみ退場可能を、前記場合以外は退場不可能を、駐輪場のコンピュータに返信する機能とを有することを特徴とする自転車登録情報保管サーバ。
【請求項９】
駐輪場の入場又は退場ゲートで、自転車に取り付けられている自転車登録証のＩＣチップから自転車登録ＩＤを、自転車に伴っている人の所持する物のＩＣチップから利用権のＩＤを、前記人から前記人のバイオメトリックス情報がそれぞれ読取られ、
自転車登録ＩＤで識別される自転車が登録され、利用権のＩＤで識別される利用権が有効期限内で、かつ前記人のバイオメトリックス情報が利用権の購入者のバイオメトリックス情報であるとの条件の正否をコンピュータで判断し、
入場又は退場ゲートは、前記条件が正しいならば、前記人に自転車を伴って入場又は退場させ、前記条件が正しくないならば、前記人に自転車を伴って入場又は退場させないことを特徴とする駐輪場管理方法。
【請求項１０】
前記利用権の購入者のバイオメトリックス情報は、前記入場又は退場ゲートで、前記自転車を伴っている人の所持する物のＩＣチップから読取られたものであることを特徴とする請求項９に記載の駐輪場管理方法。
【請求項１１】
前記自転車に伴っている人の所持する物が、前記自転車の自転車鍵であることを特徴とする請求項９又は１０に記載の駐輪場管理方法。
【発明の詳細な説明】
【０００１】
【発明の属する技術分野】
本発明は、自転車登録申請用紙、自転車登録証、自転車鍵、自転車登録情報保管サーバ、及び駐輪場管理方法に関する。
【０００２】
【従来の技術】
従来、非接触で読取りが可能なタグ識別情報を記憶するＩＣチップを備え、このタグ識別情報と等価の情報が印刷され、自転車に取付け可能な自転車用タグが知られている（特許文献１参照）。
【０００３】
この自転車用タグは、自転車の盗難や放置に対処することを主な目的とするものであるが、特許文献１の［００５５］〜［００５７］に、自転車の駐輪場での利用についても触れられている。この利用は、次のようなものである。
【０００４】
自転車が入場用ゲートに近付くと、その自転車に取り付けられている自転車用タグのＩＣチップからタグ識別情報が読み取られ、このタグ情報で識別される自転車の登録者が駐輪場の利用料金を納付してあることが確かめられ、利用料金が納付されている場合にゲートが開く。また、このタグ情報で識別される自転車に対して盗難届が出ていないことが確かめられ、盗難届が出ている場合に自動的に警報通知がなされる。
【０００５】
【特許文献１】
特開２００２−２１６０８４号公報
【０００６】
【発明が解決しようとする課題】
従って、特許文献１の［００５５］〜［００５７］に記載の自転車の駐輪場での自転車用タグの利用では、盗難自転車であっても、駐輪場に入退場するときまでの利用料金が納付されており、盗難届が出されるまでの間は、駐輪場の入退場が出来てしまうという欠点がある。
【０００７】
本発明は係る従来技術の欠点に鑑みてなされたもので、正当な自転車利用者であり、かつ正当な駐輪場利用者である者のみに、駐輪場の入退場が可能になるようにすることを課題とする。
【０００８】
【課題を解決するための手段】
本発明において上記の課題を達成するために、まず請求項１の発明では、自転車登録ＩＤが表記され、個人情報の記入欄が設けられている自転車登録申請用紙であって、
表記されている自転車登録ＩＤと、記入欄に記入された個人情報とは、自転車登録情報として保管されて、駐輪場で自転車の入退場の際に、前記自転車が登録自転車であって、前記自転車について、前記自転車に伴っている人が駐輪場の利用権を購入し、前記利用権が有効期限内であることを確かめることに用いられることを特徴とする自転車登録申請用紙としたものである。
【０００９】
また請求項２の発明では、非接触で読取りが可能な自転車登録ＩＤを記憶するＩＣチップを備え、前記自転車登録ＩＤが表記され、自転車に取付け可能な自転車登録証であって、
前記自転車登録ＩＤは、駐輪場で自転車の入退場の際に読み取られ、前記自転車登録ＩＤで識別される登録自転車が存在し、前記自転車に伴っている人が駐輪場の利用権を購入し、前記利用権が有効期限内であることを確かめることに用いられることを特徴とする自転車登録証としたものである。
【００１０】
また請求項３の発明では、前記自転車登録ＩＤは、駐輪場で自転車の退場の際に、自転車鍵の備えるＩＣチップに記憶されている自転車登録ＩＤと一致することを確かめることに用いられることを特徴とする請求項２に記載の自転車登録証としたものである。
【００１１】
また請求項４の発明では、非接触で読取りが可能な自転車登録ＩＤを記憶するＩＣチップを備える自転車鍵であって、
前記自転車登録ＩＤは、駐輪場で自転車の退場の際に読み取られ、自転車登録証の備えるＩＣチップに記憶されている自転車登録ＩＤと一致することを確かめることに用いられることを特徴とする自転車鍵としたものである。
【００１２】
また請求項５の発明では、非接触で読取りが可能な利用権のＩＤを記憶するＩＣチップを備える自転車鍵であって、
前記利用権のＩＤは、駐輪場で自転車の入退場の際に読取られ、前記利用権のＩＤで識別される利用権が有効期限内であることを確かめることに用いられることを特徴とする自転車鍵としたものである。
【００１３】
また請求項６の発明では、前記ＩＣチップが、非接触で読取りが可能な、利用権の購入者のバイオメトリックス情報も記憶しており、
前記利用権の購入者のバイオメトリックス情報は、駐輪場で自転車の入退場の際に読取られ、前記自転車に伴っている人のバイオメトリックス情報と照合されることにより、前記人が、前記利用権の購入者であることを確かめることに用いられることを特徴とする自転車鍵としたものである。
【００１４】
また請求項７の発明では、各端末と、各駐輪場のコンピュータと、ネットワークを介して接続されるサーバであって、
端末又はサーバにて、自転車登録ＩＤと個人情報とを入力させ、入力された自転車登録ＩＤと個人情報とを自転車登録情報として保管する機能と、
駐輪場のコンピュータから自転車登録ＩＤと利用権のＩＤ及び有効期間とを受信し、保管している自転車登録情報の中で、受信した自転車登録ＩＤを有するものに、受信した利用権のＩＤ及び有効期間とを追記し、追記した自転車登録情報を新たな自転車登録情報として保管する機能と、
駐輪場のコンピュータから入場可否問合せを自転車登録ＩＤと利用権のＩＤと共に受信し、保管している自転車登録情報の中で、受信した自転車登録ＩＤと利用権のＩＤとを有し、かつ利用権が有効期限内のものが存在する場合のみ入場可能を、前記場合以外は入場不可能を、駐輪場のコンピュータに返信する機能と、
駐輪場のコンピュータから退場可否問合せを自転車登録ＩＤと利用権のＩＤと共に受信し、保管している自転車登録情報の中で、受信した自転車登録ＩＤと利用権のＩＤとを有し、かつ利用権が有効期限内のものが存在する場合のみ退場可能を、前記場合以外は退場不可能を、駐輪場のコンピュータに返信する機能とを有することを特徴とする自転車登録情報保管サーバとしたものである。
【００１５】
また請求項８の発明では、各端末と、各駐輪場のコンピュータと、ネットワークを介して接続されるサーバであって、
端末又はサーバにて、自転車登録ＩＤと個人情報とを入力させ、入力された自転車登録ＩＤと個人情報とを自転車登録情報として保管する機能と、
駐輪場のコンピュータから自転車登録ＩＤと利用権のＩＤと利用権の有効期間と利用権の購入者のバイオメトリックス情報とを受信し、保管している自転車登録情報の中で、受信した自転車登録ＩＤを有するものに、受信した利用権のＩＤと利用権の有効期間と利用権の購入者のバイオメトリックス情報とを追記し、追記した自転車登録情報を新たな自転車登録情報として保管する機能と、
駐輪場のコンピュータから入場可否問合せを自転車登録ＩＤと利用権のＩＤとバイオメトリックス情報と共に受信し、保管している自転車登録情報の中で、受信した自転車登録ＩＤと利用権のＩＤとを有し、利用権が有効期限内のものが存在し、かつ受信したバイオメトリックス情報と一致する利用権の購入者のバイオメトリックス情報がある場合のみ入場可能を、前記場合以外は入場不可能を、駐輪場のコンピュータに返信する機能と、
駐輪場のコンピュータから退場可否問合せを自転車登録ＩＤと利用権のＩＤとバイオメトリックス情報と共に受信し、保管している自転車登録情報の中で、受信した自転車登録ＩＤと利用権のＩＤとを有し、利用権が有効期限内のものが存在し、かつ受信したバイオメトリックス情報と一致する利用権の購入者のバイオメトリックス情報がある場合のみ退場可能を、前記場合以外は退場不可能を、駐輪場のコンピュータに返信する機能とを有することを特徴とする自転車登録情報保管サーバとしたものである。
【００１６】
また請求項９の発明では、駐輪場の入場又は退場ゲートで、自転車に取り付けられている自転車登録証のＩＣチップから自転車登録ＩＤを、自転車に伴っている人の所持する物のＩＣチップから利用権のＩＤを、前記人から前記人のバイオメトリックス情報がそれぞれ読取られ、
自転車登録ＩＤで識別される自転車が登録され、利用権のＩＤで識別される利用権が有効期限内で、かつ前記人のバイオメトリックス情報が利用権の購入者のバイオメトリックス情報であるとの条件の正否をコンピュータで判断し、
入場又は退場ゲートは、前記条件が正しいならば、前記人に自転車を伴って入場又は退場させ、前記条件が正しくないならば、前記人に自転車を伴って入場又は退場させないことを特徴とする駐輪場管理方法としたものである。
【００１７】
また請求項１０の発明では、前記利用権の購入者のバイオメトリックス情報は、前記入場又は退場ゲートで、前記自転車を伴っている人の所持する物のＩＣチップから読取られたものであることを特徴とする請求項９に記載の駐輪場管理方法としたものである。
【００１８】
また請求項１１の発明では、前記自転車に伴っている人の所持する物が、前記自転車の自転車鍵であることを特徴とする請求項９又は１０に記載の駐輪場管理方法としたものである。
【００１９】
【発明の実施の形態】
以下に、本発明の幾つかの実施形態を説明する。
【００２０】
（１）自転車登録申請用紙
本発明の自転車登録申請用紙は、図１に例示するように、自転車登録ＩＤが表記され、個人情報の記入欄が設けられている。この記入欄に、個人情報が記入されることにより、本発明の自転車登録申請用紙は、自転車登録申請書となる。自転車登録ＩＤは、登録自転車毎に異なる情報であって、登録自転車を識別する情報である。図１に例示する自転車登録申請用紙では、個人情報として、氏名、住所、メイルアドレス、ネットパスワードの記入欄が設けられている。また図１に例示する自転車登録申請用紙では、自転車登録ＩＤがバーコード１とアラビア数字２の２通りで表記されている。
【００２１】
（２）自転車登録証
本発明の自転車登録証は、非接触で読取りが可能な自転車登録ＩＤを記憶するＩＣチップを備え、この自転車登録ＩＤが表記され、自転車に取付け可能である。図２に例示する自転車登録証では、図２の（Ａ）のように、表に、自転車登録ＩＤがバーコード１とアラビア数字２の２通りで表記されており、また図２の（Ｂ）のように、内部に、非接触で読取りが可能な自転車登録ＩＤを記憶するＩＣチップ３を備える。またに図２に例示する自転車登録証では、裏に、接着剤を塗布してあり、シール又はステッカーとして、自転車に貼り付けることができる。
【００２２】
（３）自転車鍵
本発明の自転車鍵は、非接触で読取りが可能な自転車登録ＩＤを記憶するＩＣチップを備える。図３に例示する自転車鍵では、非接触で読取りが可能な自転車登録ＩＤを記憶するＩＣチップを内蔵している。自転車鍵にも、自転車登録ＩＤを表記しても良い。また、自転車鍵を後述の利用券の代わりに用いる場合、この自転車鍵は、後述の発券機の備えるリーダ・ライタにて、バイオメトリックス情報や利用権のＩＤを書き込まれるようにしても良い。
【００２３】
（４）自転車登録ＩＤ
自転車登録ＩＤの表記は、上で例示したバーコードやアラビア数字以外にも、２次元、３次元バーコード、或いは英数字の組み合わせでも良い。この自転車登録ＩＤは、自転車毎に一意的に定められた自転車の識別情報である。
【００２４】
（５）自転車登録情報保管サーバが組み込まれたシステム
図４に、本発明の自転車登録情報保管サーバ４０が組み込まれたシステムの構成を例示する。図４に例示するように、本発明の自転車登録情報保管サーバ４０は、駐輪場管理コンピュータ１０と、端末６０と、ネットワーク５０を介して接続される。また本発明の自転車登録情報保管サーバ４０は、バーコードリーダを備えても良い。
【００２５】
ネットワーク５０は、本発明の自転車登録情報保管サーバ４０と駐輪場管理コンピュータ１０との間でデータ通信が可能であり、本発明の自転車登録情報保管サーバ４０と端末６０との間でデータが可能であれば、その種類や形態に特に制限は無く、例えば、インターネットや専用回線でも良く、また、途中で光通信や無線通信が行なわれるものであっても良い。
【００２６】
端末６０は、パソコンなどのコンピュータ、或いは携帯電話機などの携帯端末のような汎用の端末であっても良いし、自転車登録専用の端末であっても良い。また端末６０は、バーコードリーダを備えても良い。また自転車鍵のＩＣチップに記憶されている自転車登録ＩＤなどの情報を非接触で読取るリーダを備えても良い。
【００２７】
端末６０の設置場所や所持者については、特に制限は無い。例えば、端末６０は、自転車登録情報保管サーバ４０の管理者の居る場所や自転車の販売店に設置されたものであっても良いし、自転車の購入者や自転車メーカーが所持するものであっても良い。
【００２８】
図４に例示するように、駐輪場管理コンピュータ１０は、発券機３０、入場ゲート２１、退場ゲート２２、それぞれと接続されて、それぞれとの間でデータ通信が可能である。
【００２９】
発券機３０は、駐輪場を利用する権利を購入した個人に、この権利を表記した利用券を発券する機械である。駐輪場を利用する権利を、利用権と云う。本実施形態では、利用権は、駐輪場を所定の期間利用できるものであるとする。
【００３０】
利用券は、非接触で読取りが可能な利用権の購入者のバイオメトリックス情報と利用権のＩＤとを記憶するＩＣチップを備える。利用権のＩＤは、利用権毎に異なり利用権を識別する情報である。利用権のＩＤを、利用権を購入した個人毎に異なり個人を識別する情報と見做して、個人のＩＤとして用いても良い。またバイオメトリックス情報とは、個々人特有の生体情報であって、例えば、指紋、掌紋、声紋、網膜パターンがある。発券機３０は、利用券を発券する際に、発券機３０の備えるリーダ・ライタにて、利用権の購入者から利用権の購入者のバイオメトリックス情報を読取り、読み取ったバイオメトリックス情報を利用券のＩＣチップに書き込む。尚、先述したように自転車鍵を利用券の代わりに用いる場合には、発券機３０の備えるリーダ・ライタにて、自転車鍵にバイオメトリックス情報と利用権のＩＤとが書き込まれることになる。従って、自転車鍵を利用券の代わりに用いる場合には、利用券と記載されている本明細書の箇所で、利用券を自転車鍵と読み替えれば良い。
【００３１】
入場ゲート２１は、ゲートを開閉することにより駐輪場への入場を制御する装置であって、自転車登録証及び利用券のリーダ２３ａと、自転車鍵のリーダ２３ｂと、バイオメトリックス情報のリーダ２３ｃとを備える。入場ゲート２１は、回転式ゲートにより、駐輪場への入場を制御しても良い。
【００３２】
退場ゲート２２は、ゲートを開閉することにより駐輪場からの退場を制御する装置であって、自転車登録証及び利用券のリーダ２３ａと、自転車鍵のリーダ２３ｂと、バイオメトリックス情報のリーダ２３ｃとを備える。退場ゲート２２は、回転式ゲートにより、駐輪場からの退場を制御しても良い。
【００３３】
自転車登録証及び利用券のリーダ２３ａは、非接触で、自転車登録証のＩＣチップから自転車登録ＩＤを読み取り、利用券のＩＣチップから利用権の購入者のバイオメトリックス情報と利用権のＩＤとを読み取る装置である。自転車鍵のリーダ２３ｂは、非接触で、自転車鍵のＩＣチップから自転車登録ＩＤを読み取る装置である。バイオメトリックス情報のリーダ２３ｃは、個々人から個々人のバイオメトリックス情報を読み取る装置である。
【００３４】
駐輪場管理コンピュータ１０は、図４に例示するように、発券機３０、入場ゲート２１、退場ゲート２２とは別個のコンピュータであっても良いし、発券機３０、入場ゲート２１、退場ゲート２２の何れかが内蔵しているコンピュータが兼ねても良い。
【００３５】
（６）自転車登録情報
本発明の自転車登録情報保管サーバ４０は、自転車登録情報として、自転車登録ＩＤ、個人情報、利用権のＩＤ、利用権の利用期間などを保管する。ここで、個人情報は、自転車登録ＩＤで識別される自転車の利用者の個人情報である。また利用権は、自転車登録ＩＤで識別される自転車の利用者が購入した利用権である。
【００３６】
また、自転車メーカーが端末６０に入力した自転車製造のプロフィールを、自転車登録情報として、自転車登録情報保管サーバ４０に保管しても良い。この自転車製造のプロフィールは、自転車の部品交換や、リコールなどのときに使用される。
【００３７】
（７）自転車登録
以下に、自転車を登録する際に、本発明の自転車登録情報保管サーバを組み込んだシステムでなされる処理の例を説明する。
【００３８】
自転車の販売店は、自転車の購入者に、図１に例示する自転車登録申請用紙を渡し、購入した自転車の登録を勧誘する。
【００３９】
自転車の購入者は、自転車登録申請用紙の個人情報の記入欄に、個人情報を記入して、自転車登録申請書として、自転車の販売店に提出すると、自転車の販売店は、自転車登録申請書の控えを、自転車の購入者に渡す。そして、自転車の販売店は、自転車登録申請書を、自転車登録情報管理サーバ４０の管理者にＦＡＸ送信して、この自転車登録申請書に表記の自転車登録ＩＤと、この自転車登録申請書の個人情報の記入欄に記入の個人情報とを、自転車登録情報管理サーバ４０又は端末６０に入力して貰う。
【００４０】
自転車の販売店は、自転車の購入者が提出した自転車登録申請書を、自転車登録情報管理サーバ４０の管理者にＦＡＸ送信する代わりに、この自転車登録申請書に表記の自転車登録ＩＤと、この自転車登録申請書の個人情報の記入欄に記入の個人情報とを、端末６０に入力しても良い。
【００４１】
自転車の購入者は、自転車登録申請書を、自転車の販売店に提出する代わりに、この自転車登録申請書に表記の自転車登録ＩＤと、この自転車登録申請書の個人情報の記入欄に記入の個人情報とを、端末６０に入力しても良い。この場合、自転車登録申請書は、控えとして、自転車の購入者の手元に残される。
【００４２】
自転車登録情報管理サーバ４０は、自転車登録情報管理サーバ４０又は端末６０に入力された自転車登録ＩＤと個人情報とを自転車登録情報として保管する。
【００４３】
（８）利用権の購入
以下に、登録自転車の利用者が、駐輪場の利用権を購入する際に、本発明の自転車登録情報保管サーバを組み込んだシステムでなされる処理の例を説明する。
【００４４】
登録自転車の利用者は、図４に例示する発券機３０に、自転車登録証に表記の自転車登録ＩＤを入力し、また自身のバイオメトリックス情報を読み取らせて、この発券機３０にて、駐輪場を所定の期間利用できる利用権を購入し、この利用権を表記する利用券を受け取る。
【００４５】
発券機３０は、登録自転車の利用者の指示に従って、利用券を発券する。利用券を発券する際に、発券機３０は、発券機３０の備えるリーダ・ライタにて、利用権の購入者から利用権の購入者のバイオメトリックス情報を読取り、読み取ったバイオメトリックス情報を利用券のＩＣチップに書き込む。また発券機３０は、利用権のＩＤを生成して、生成した利用権のＩＤを、発券機３０の備えるリーダ・ライタにて、利用券のＩＣチップに書き込んでも良い。
【００４６】
また、発券機３０は、例えば以下のＳＴＥＰ１〜３を順次実行することにより、駐輪場管理コンピュータ１０に、自転車登録ＩＤと利用権のＩＤ及び有効期限とを送信する。
【００４７】
ＳＴＥＰ１；
発券機３０は、登録自転車の利用者から入力された自転車登録証に記載の自転車登録ＩＤを一時的に保存する。
【００４８】
ＳＴＥＰ２；
発券機３０は、登録自転車の利用者に利用権の希望を入力させ、登録自転車の利用者が希望した利用権の有効期間を算出し、利用権の有効期間と、この利用権のＩＤとを一時的に保存する。
【００４９】
ＳＴＥＰ３；
発券機３０は、自転車登録ＩＤ、利用権の有効期間、利用権のＩＤを合わせて駐輪場管理コンピュータ１０に送信する。
【００５０】
駐輪場管理コンピュータ１０は、発券機３０から送信された自転車登録ＩＤと利用権のＩＤ及び有効期間とを、自転車登録情報保管サーバ４０に転送する。
【００５１】
自転車登録情報保管サーバ４０は、駐輪場管理コンピュータ１０から自転車登録ＩＤと利用権のＩＤ及び有効期間とを受信し、保管している自転車登録情報の中で、受信した自転車登録ＩＤを有するものに、受信した利用権のＩＤ及び有効期間とを追記し、追記した自転車登録情報を新たな自転車登録情報として保管する。
【００５２】
尚、利用権を購入する際に、発券機３０に、複数の自転車登録ＩＤを入力しても良い。このとき、自転車登録情報保管サーバ４０は、駐輪場管理コンピュータ１０から複数の自転車登録ＩＤと単一の利用権のＩＤ及び有効期間とを受信し、保管している自転車登録情報の中で、受信した各自転車登録ＩＤを有するものに、受信した利用権のＩＤ及び有効期間とを追記し、追記した自転車登録情報を新たな自転車登録情報として保管する。この結果、利用権を購入する際に、発券機３０に、入力した何れかの自転車登録ＩＤで識別される自転車を伴って、駐輪場の入退場を行うことが、一枚の利用券で可能になる。
【００５３】
（９）駐輪場への入場
以下に、利用券を所持する登録自転車の利用者が登録自転車を伴って駐輪場に入場する際に、本発明の自転車登録情報保管サーバを組み込んだシステムでなされる処理の例を、図５のフローチャートに従って説明する。
【００５４】
ＳＴＥＰ１；
入場ゲート２１は、入場ゲート２１の自転車登録証及び利用券のリーダ２３ａで、非接触で、登録自転車に取り付けられた自転車登録証のＩＣチップの記憶する自転車登録ＩＤを読み取り、登録自転車の利用者の所持する利用券のＩＣチップの記憶する利用権のＩＤと利用権の購入者のバイオメトリックス情報とを読み取り、また、入場ゲート２１のバイオメトリックス情報のリーダ２３ｃで、登録自転車の利用者から登録自転車の利用者のバイオメトリックス情報を読み取る。
【００５５】
ＳＴＥＰ２；
入場ゲート２１は、自転車登録ＩＤと利用権のＩＤと利用権の購入者のバイオメトリックス情報と登録自転車の利用者のバイオメトリックス情報とを、駐輪場管理コンピュータ１０に送信する。
【００５６】
ＳＴＥＰ３；
駐輪場管理コンピュータ１０は、自転車登録ＩＤと、利用権のＩＤと、利用権の購入者のバイオメトリックス情報と、登録自転車の利用者のバイオメトリックス情報とを受信する。
【００５７】
ＳＴＥＰ４；
駐輪場管理コンピュータ１０は、利用権の購入者のバイオメトリックス情報と登録自転車の利用者のバイオメトリックス情報とを照合して一致するか否かを確かめる。
【００５８】
ＳＴＥＰ５；
一致するならば、ＳＴＥＰ６に進む。
一致しないならば、ＳＴＥＰ１６に進む。
【００５９】
ＳＴＥＰ６；
駐輪場のコンピュータ１０は、入場可否問合せを自転車登録ＩＤと利用権のＩＤと共に、自転車登録情報保管サーバ４０に送信する。
【００６０】
ＳＴＥＰ７：
自転車登録情報保管サーバ４０は、入場可否問合せを自転車登録ＩＤと利用権のＩＤと共に受信する。
【００６１】
ＳＴＥＰ８；
自転車登録情報保管サーバ４０は、保管している自転車登録情報の中で、受信した自転車登録ＩＤと利用権のＩＤとを有し、かつ利用権が有効期限内のものが存在するか否かを確かめる。
【００６２】
ＳＴＥＰ９；
存在するならば、ＳＴＥＰ１０に進む。
存在しないならば、ＳＴＥＰ１４に進む。
【００６３】
ＳＴＥＰ１０；
自転車登録情報保管サーバ４０は、入場可能を、駐輪場管理コンピュータ１０に送信する。
【００６４】
ＳＴＥＰ１１；
駐輪場管理コンピュータ１０は、入場可能を受信する。
【００６５】
ＳＴＥＰ１２；
駐輪場管理コンピュータ１０は、ゲートを開くよう指示するコマンドを入場ゲート２１に送信する。
【００６６】
ＳＴＥＰ１３；
入場ゲート２１は、ゲートを開くよう指示するコマンドを受信し、このコマンドに従って、ゲートを開く。
ＥＮＤに進む。
【００６７】
ＳＴＥＰ１４；
自転車登録情報保管サーバ４０は、入場不可能を、駐輪場管理コンピュータ１０に送信する。
【００６８】
ＳＴＥＰ１５；
駐輪場管理コンピュータ１０は、入場不可能を受信する。
【００６９】
ＳＴＥＰ１６；
駐輪場管理コンピュータ１０は、ゲートを閉じるよう指示するコマンドを入場ゲート２１に送信する。
【００７０】
ＳＴＥＰ１７；
入場ゲート２１は、ゲートを閉じるよう指示するコマンドを受信し、このコマンドに従って、ゲートを閉じる。
ＥＮＤに進む。
【００７１】
（１０）駐輪場からの退場
以下に、自転車鍵と利用券とを所持する登録自転車の利用者が登録自転車を伴って駐輪場から退場する際に、本発明の自転車登録情報保管サーバを組み込んだシステムでなされる処理の例を、図６及び図７のフローチャートに従って説明する。
【００７２】
ＳＴＥＰ１；
退場ゲート２２は、退場ゲート２２の自転車登録証及び利用券のリーダ２３ａで、非接触で、登録自転車に取り付けられた自転車登録証のＩＣチップの記憶する自転車登録ＩＤを読み取り、登録自転車の利用者の所持する利用券のＩＣチップの記憶する利用権のＩＤと利用権の購入者のバイオメトリックス情報とを読み取り、また、退場ゲート２２の自転車鍵のリーダ２３ｂで、非接触で、登録自転車の利用者の所持する自転車鍵のＩＣチップの記憶する自転車登録ＩＤを読み取り、また、退場ゲート２２のバイオメトリックス情報のリーダ２３ｃで、登録自転車の利用者から登録自転車の利用者のバイオメトリックス情報を読み取る。
【００７３】
ＳＴＥＰ２；
退場ゲート２２は、自転車登録証のＩＣチップの記憶する自転車登録ＩＤと、利用券のＩＣチップの記憶する利用権のＩＤと、自転車鍵のＩＣチップの記憶する自転車登録ＩＤと、利用権の購入者のバイオメトリックス情報と、登録自転車の利用者のバイオメトリックス情報とを、駐輪場管理コンピュータ１０に送信する。
【００７４】
ＳＴＥＰ３；
駐輪場管理コンピュータ１０は、自転車登録証のＩＣチップの記憶する自転車登録ＩＤと、利用券のＩＣチップの記憶する利用権のＩＤと、自転車鍵のＩＣチップの記憶する自転車登録ＩＤと、利用権の購入者のバイオメトリックス情報と、登録自転車の利用者のバイオメトリックス情報とを受信する。
【００７５】
ＳＴＥＰ４；
駐輪場管理コンピュータ１０は、利用権の購入者のバイオメトリックス情報と登録自転車の利用者のバイオメトリックス情報とを照合して一致するか否かを確かめる。
【００７６】
ＳＴＥＰ５；
一致するならば、ＳＴＥＰ６に進む。
一致しないならば、ＳＴＥＰ１８に進む。
【００７７】
ＳＴＥＰ６；
駐輪場管理コンピュータ１０は、自転車登録証のＩＣチップの記憶する自転車登録ＩＤと、自転車鍵のＩＣチップの記憶する自転車登録ＩＤとが一致するか否かを確かめる。
【００７８】
ＳＴＥＰ７；
一致すれば、ＳＴＥＰ８に進む。
一致しなければ、ＳＴＥＰ１８に進む。
【００７９】
ＳＴＥＰ８；
駐輪場のコンピュータ１０は、退場可否問合せを自転車登録ＩＤと利用権のＩＤと共に、自転車登録情報保管サーバ４０に送信する。
【００８０】
ＳＴＥＰ９：
自転車登録情報保管サーバ４０は、退場可否問合せを自転車登録ＩＤと利用権のＩＤと共に受信する。
【００８１】
ＳＴＥＰ１０；
自転車登録情報保管サーバ４０は、保管している自転車登録情報の中で、受信した自転車登録ＩＤと利用権のＩＤとを有し、かつ利用権が有効期限内のものが存在するか否かを確かめる。
【００８２】
ＳＴＥＰ１１；
存在するならば、ＳＴＥＰ１２に進む。
存在しないならば、ＳＴＥＰ１６に進む。
【００８３】
ＳＴＥＰ１２；
自転車登録情報保管サーバ４０は、退場可能を、駐輪場管理コンピュータ１０に送信する。
【００８４】
ＳＴＥＰ１３；
駐輪場管理コンピュータ１０は、退場可能を受信する。
【００８５】
ＳＴＥＰ１４；
駐輪場管理コンピュータ１０は、ゲートを開くよう指示するコマンドを退場ゲート２２に送信する。
【００８６】
ＳＴＥＰ１５；
退場ゲート２２は、ゲートを開くよう指示するコマンドを受信し、このコマンドに従って、ゲートを開く。
ＥＮＤに進む。
【００８７】
ＳＴＥＰ１６；
自転車登録情報保管サーバ４０は、退場不可能を、駐輪場管理コンピュータ１０に送信する。
【００８８】
ＳＴＥＰ１７；
駐輪場管理コンピュータ１０は、退場不可能を受信する。
【００８９】
ＳＴＥＰ１８；
駐輪場管理コンピュータ１０は、ゲートを閉じるよう指示するコマンドを退場ゲート２２に送信する。
【００９０】
ＳＴＥＰ１９；
退場ゲート２２は、ゲートを閉じるよう指示するコマンドを受信し、このコマンドに従って、ゲートを閉じる。
ＥＮＤに進む。
【００９１】
（１１）バイオメトリックス情報の記憶場所
利用権の購入者のバイオメトリックス情報を、利用券のＩＣチップに記憶する代わりに、自転車登録情報保管サーバ４０に、自転車登録ＩＤ、個人情報、利用権のＩＤ、利用権の有効期限、さらには自転車製造のプロフィールなどと共に自転車登録情報として保管しても良い。
【００９２】
このとき、自転車登録情報保管サーバ４０は、駐輪場管理コンピュータ１０から入場可否問合せを自転車登録番号と利用権のＩＤとバイオメトリックス情報と共に受信し、保管している自転車登録情報の中で、受信した自転車登録ＩＤと利用権のＩＤとを有し、利用権が有効期限内のものが存在し、かつ受信したバイオメトリックス情報と一致する利用権の購入者のバイオメトリックス情報がある場合に入場可能を、この場合以外は入場不可能を、駐輪場管理コンピュータ１０に返信する。ここで、自転車登録情報保管サーバ４０が、駐輪場管理コンピュータ１０から受信するバイオメトリックス情報は、入場ゲート２１のバイオメトリックス情報のリーダ２３ｃが読み取ったものである。
【００９３】
同様に、このとき、自転車登録情報保管サーバ４０は、駐輪場管理コンピュータ１０から退場可否問合せを自転車登録番号と利用権のＩＤとバイオメトリックス情報と共に受信し、保管している自転車登録情報の中で、受信した自転車登録ＩＤと利用権のＩＤとを有し、利用権が有効期限内のものが存在し、かつ受信したバイオメトリックス情報と一致する利用権の購入者のバイオメトリックス情報がある場合に退場可能を、この場合以外は退場不可能を、駐輪場管理コンピュータ１０に返信する。ここで、自転車登録情報保管サーバ４０が、駐輪場管理コンピュータ１０から受信するバイオメトリックス情報は、退場ゲート２２のバイオメトリックス情報のリーダ２３ｃが読み取ったものである。
【００９４】
（１２）利用券としての自転車鍵
利用権を購入した個人に対して、この利用権を表記する利用券を発行する代わりに、この個人の自転車鍵のＩＣチップに、利用権のＩＤと、駐輪場を利用する者のバイオメトリックス情報とを記憶させて、この自転車鍵を利用券の代わりに用いても良い。
【００９５】
（１３）自転車の盗難や紛失に対する対処
自転車が盗難や紛失に会ったとき、自転車登録申請書の控え、或いは自転車鍵で、その自転車の利用者であることを証明することにより、中央センターに問い合わせたり、盗難届や紛失届を出したりする。また駐輪場を利用している人は、自転車登録申請書の控え、或いは自転車鍵で、盗難や紛失に会った自転車の利用者であることを証明することにより、駐輪場の係員に問い合わせたり、盗難届や紛失届などの中央センターへの提出を依頼する。ここで、中央センターとは、例えば、警察のように、自転車の盗難や紛失に対処してくれる組織のことである。本発明の自転車登録情報保管サーバ４０は、中央センターが管理運営しても良い。
【００９６】
【発明の効果】
請求項１及び２の発明は、自転車を伴って人が駐輪場を入退場しようとするとき、この自転車が登録されており、この自転車について、この人が駐輪場の利用権を購入しており、この利用権が有効期限内である場合に、駐輪場の入退場が可能で、この場合以外は入退場が不可能になるという効果がある。
【００９７】
請求項３及び４の発明は、自転車を伴って人が駐輪場を退場しようとするとき、この自転車が登録されており、この人が、この自転車の鍵を所持する場合に、駐輪場での自転車の退場が可能で、この場合以外は退場が不可能になるという効果がある。
【００９８】
請求項５の発明は、利用権を表記する利用券の代わりになるので、利用券を発券する必要が無くなり、かつ利用券を所持する必要もなくなるという効果がある。
【００９９】
請求項６の発明は、自転車を伴って人が駐輪場を入退場しようとするとき、この人が駐輪場の利用権を購入している場合に、駐輪場の入退場が可能で、この場合以外は入退場が不可能になるという効果がある。また請求項６の発明は、利用権の購入者のバイオメトリックス情報が自転車鍵のＩＣチップに記憶されているので、この利用権の購入者のバイオメトリックス情報を秘密にすることが容易であるという効果もある。
【０１００】
請求項７の発明は、自転車を伴って人が駐輪場を入退場しようとするとき、この自転車が登録されており、この自転車について、駐輪場の利用権が購入されており、この利用権が有効期限内である場合に、駐輪場の入退場が可能で、この場合以外は入退場が不可能になるという効果がある。
【０１０１】
請求項８及び９の発明は、自転車を伴って人が駐輪場を入退場しようとするとき、この自転車が登録されており、この自転車について、この人が駐輪場の利用権を購入しており、この利用権が有効期限内である場合に、駐輪場の入退場が可能で、この場合以外は入退場が不可能になるという効果がある。
【０１０２】
請求項１０の発明は、利用権の購入者のバイオメトリックス情報が、自転車を伴っている人の所持する物のＩＣチップに記憶されているので、この利用権の購入者のバイオメトリックス情報を秘密にすることが容易であるという効果がある。
【０１０３】
請求項１１の発明は、登録自転車について、駐輪場の利用権を購入した人は、自転車鍵を所持するだけで、この登録自転車を伴って駐輪場の入退場が可能であるという効果がある。
【０１０４】
以上、本発明は、正当な自転車利用者であり、かつ正当な駐輪場利用者である者のみに、駐輪場の入退場が可能になるという効果がある。
【図面の簡単な説明】
【図１】本発明の自転車登録申請用紙を例示する図。
【図２】本発明の自転車登録証を例示する図であって、（Ａ）に表を、（Ｂ）に内部を示す。
【図３】本発明の自転車鍵を例示する図。
【図４】本発明の自転車登録情報保管サーバが組み込まれたシステムの構成を例示する図。
【図５】利用券を所持する登録自転車の利用者が登録自転車を伴って駐輪場に入場する際に、本発明の自転車登録情報保管サーバを組み込んだシステムでなされる処理の例を説明するフローチャート。
【図６】自転車鍵と利用券とを所持する登録自転車の利用者が登録自転車を伴って駐輪場から退場する際に、本発明の自転車登録情報保管サーバを組み込んだシステムでなされる処理の例の説明するフローチャートの前半。
【図７】自転車鍵と利用券とを所持する登録自転車の利用者が登録自転車を伴って駐輪場から退場する際に、本発明の自転車登録情報保管サーバを組み込んだシステムでなされる処理の例の前半を説明するフローチャートの後半。
【符号の説明】
１…自転車登録ＩＤ（バーコード）
２…自転車登録ＩＤ（アラビア数字）
３…ＩＣチップ
１０…駐輪場管理コンピュータ
２１…入場ゲート
２２…退場ゲート
２３ａ…自転車登録証及び利用券のリーダ
２３ｂ…自転車鍵のリーダ
２３ｃ…バイオメトリックス情報のリーダ
３０…発券機
４０…自転車登録情報保管サーバ
５０…ネットワーク
６０…端末
【図１】
2004334416.tif 000003
【図２】
2004334416.tif 000004
【図３】
2004334416.tif 000005
【図４】
2004334416.tif 000006
【図５】
2004334416.tif 000007
【図６】
2004334416.tif 000008
【図７】
2004334416.tif 000009